(57)【要約】【課題】録音中にケーブルが抜かれた場合に、自動的に録音を停止することができるオーディオシステムを提供する。【解決手段】音響再生装置２と録音装置３とが通信ケーブル４を介して接続され、通信ケーブル４を経由して音響再生装置２から録音装置３に送信された音響信号を、録音装置３にて所定の記録媒体に記録するオーディオシステム１であって、音響再生装置２は、音響信号とは独立の制御信号である通信ケーブル４が接続されていることを示す接続信号を録音装置３に供給する制御信号送信部２３を備え、録音装置３は、録音制御信号を検出する制御信号受信部３１と、制御信号受信部３１によって検出された接続信号の有無に従って、音響信号の音響信号保存部３４への記録を制御する録音制御部３２とを備える。音響信号の記録中に接続信号が検出されない場合に、音響信号の記録を停止するとともに、所定の時間分の音響信号をさかのぼって消去する。【選択図】図１
2007124315.tif 000002
【特許請求の範囲】
【請求項１】
音響再生装置と録音装置とが着脱自在の通信ケーブルを介して接続され、該通信ケーブルを経由して前記音響再生装置から前記録音装置に送信された音響信号を、前記録音装置にて所定の記録媒体に記録するオーディオシステムであって、
前記音響再生装置は、前記音響信号とは独立の制御信号であって前記通信ケーブルが接続されていることを示す接続信号を、前記録音装置に供給する制御信号供給手段を備え、
前記録音装置は、
前記接続信号の有無を検出する制御信号検出手段と、
前記制御信号検出手段によって検出された前記接続信号の有無に従って、前記音響信号の前記所定の記録媒体への記録を制御する録音制御手段と、
を備え、
前記録音制御手段は、前記接続信号が検出されない場合に、前記音響信号の前記所定の記録媒体への記録を停止する、
ことを特徴とするオーディオシステム。
【請求項２】
前記制御信号供給手段は、
前記接続信号が検出されない場合に、前記音響信号の前記所定の記録媒体への記録を停止したのち、前記所定の記録媒体への記録を停止した位置から、所定の時間分の前記記録された音響信号をさかのぼって消去する
ことを特徴とする請求項１に記載のオーディオシステム。
【請求項３】
前記制御信号供給手段は、前記通信ケーブルの前記音響信号を伝送する線とは異なる信号線を用いて、前記接続信号を前記録音装置に供給する請求項１または請求項２に記載のオーディオシステム。
【請求項４】
前記制御信号供給手段は、前記通信ケーブルの前記音響信号を伝送する線の少なくともいずれか１つを用いて、前記接続信号を前記音響信号に重畳して、前記接続信号を前記録音装置に供給する請求項１または請求項２に記載のオーディオシステム。
【請求項５】
音響再生装置と録音装置とが着脱自在の通信ケーブルを介して接続され、該通信ケーブルを経由して前記音響再生装置から前記録音装置に送信された音響信号を、前記録音装置にて所定の記録媒体に記録するオーディオシステムにおける記録制御方法であって、
前記音響再生装置は、前記音響信号とは独立の制御信号であって前記通信ケーブルが接続されていることを示す接続信号を、前記録音装置に供給するステップを備え、
前記録音装置は、
前記接続信号の有無を検出する制御信号検出ステップと、
前記接続信号が検出されない場合に、前記音響信号の前記所定の記録媒体への記録を停止するステップと、を備える
ことを特徴とする記録制御方法。
【発明の詳細な説明】
【技術分野】
【０００１】
本発明は、オーディオシステムおよび記録制御方法に関する。
【背景技術】
【０００２】
ミニディスク（以下、ＭＤという）に音楽などの音響を録音する場合、曲ごとに頭の部分に曲番をつけることができる。この曲番を トラックマークと呼ぶ。トラックマークは録音部分に記録される区切りのことで、ある区切りから次の区切りまでが１曲と数えられる。曲ごとにトラックマークをつけることによって、再生するときに曲を選択して聴くことができる。複数の曲をＭＤに録音する場合に、曲と曲の間にトラックマークをつけることを、トラック切換という。ＭＤに録音する場合さらに、ディスク内の各曲を幾つかのグループに振り分けることで簡易的なフォルダ分けを行うことができる。
【０００３】
また、磁気ディスク装置（以下、ＨＤＤという）に録音する場合には、１曲を１つのファイルとし、いくつかの曲をまとめてフォルダを形成する。ＨＤＤに録音する場合にも、曲ごとにファイルを構成することを、トラック切換という。
【０００４】
磁気ディスク装置などを用いたポータブルメモリプレーヤとステレオ機器を通信ケーブルで接続して、ステレオ機器からポータブルメモリプレーヤにアナログ音声の録音を行う際、トラック切換の動作を自動的に行うことができない。トラック切換時などでは、ユーザがメモリプレーヤ側の録音を停止して、新たにファイルを作成させる必要があった。また、通信ケーブルが抜かれた場合でも録音が継続されてしまうので、無音または不要なノイズが録音されてしまう。そのため、どの曲まで録音されたかを検索して不要な部分を消去し、再度録音するのに手間がかかっていた。
【０００５】
オーディオ信号がディジタルデータで供給される場合は、通信ケーブルが抜けた際に、記録動作を制御できるオーディオシステムが提案されている（例えば、特許文献１または特許文献２参照）。
【０００６】
特許文献１は、通信ケーブルの抜けを検出すると、記録装置の記録動作を停止させる技術が記載されている。特許文献２は、デジタル信号が無くなったことが検出されたときに記録手段を記録待機状態に制御すると共に、検出手段によって入力端子から再びデジタル信号が入力されたことが検出されたときに記録手段の記録待機状態を解除して記録を再開させる技術が記載されている。しかし、特許文献１および特許文献２はいずれも音響信号がディジタルデータで録音装置に供給される場合に、ディジタル信号が無くなったことを検出して録音を停止している。また、録音中に自動的にトラック切換はできない。
【０００７】
また、特許文献３は、入力レベルが第１閾値を上回ると、オーディオ信号の記録を開始する技術が記載されている。特許文献３の技術は、記録中では、入力レベルが第１閾値よりも高い第２閾値を下回ってから第２閾値を上回るまでの時間が第１所定時間を超えるとき、曲間であると判定し、曲番を更新する。しかし、録音する音響によっては音が０であることと信号がないこと（ケーブルが抜けた場合など）を完全に区別することができない。
【０００８】
ステレオ機器のヘッドホン端子からケーブルを接続して録音する場合、またはアナログＬＩＮＥ出力があるステレオ機器からＬＩＮＥで録音する場合に、音声信号の有無ではケーブルが抜けたかどうか判断できない。
【特許文献１】特開２００２−１７１２０４号公報
【特許文献２】特開平９−２３１６３６号公報
【特許文献３】特開２００２−１３３７７３号公報
【発明の開示】
【発明が解決しようとする課題】
【０００９】
本発明は、上記事情に鑑みてなされたものであり、録音中にケーブルが抜かれた場合に、自動的に録音を停止することができるオーディオシステムを提供する。
【課題を解決するための手段】
【００１０】
上記目的を達成するため、本発明の第１の観点に係るオーディオシステムは、
音響再生装置と録音装置とが着脱自在の通信ケーブルを介して接続され、該通信ケーブルを経由して前記音響再生装置から前記録音装置に送信された音響信号を、前記録音装置にて所定の記録媒体に記録するオーディオシステムであって、
前記音響再生装置は、前記音響信号とは独立の制御信号であって前記通信ケーブルが接続されていることを示す接続信号を、前記録音装置に供給する制御信号供給手段を備え、
前記録音装置は、
前記接続信号の有無を検出する制御信号検出手段と、
前記制御信号検出手段によって検出された前記接続信号の有無に従って、前記音響信号の前記所定の記録媒体への記録を制御する録音制御手段と、
を備え、
前記録音制御手段は、
前記接続信号が検出されない場合に、前記音響信号の前記所定の記録媒体への記録を停止する、
ことを特徴とする。
【００１１】
さらに、前記制御信号供給手段は、
前記接続信号が検出されない場合に、前記音響信号の前記所定の記録媒体への記録を停止したのち、前記所定の記録媒体への記録を停止した位置から、所定の時間分の前記記録された音響信号をさかのぼって消去する、
ことを特徴とする。
【００１２】
好ましくは、前記制御信号供給手段は、前記通信ケーブルの前記音響信号を伝送する線とは異なる信号線を用いて、前記接続信号を前記録音装置に供給する。
【００１３】
または、前記制御信号供給手段は、前記通信ケーブルの前記音響信号を伝送する線の少なくともいずれか１つを用いて、前記接続信号を前記音響信号に重畳して、前記接続信号を前記録音装置に供給する。
【００１４】
本発明の第２の観点に係る記録制御方法は、音響再生装置と録音装置とが着脱自在の通信ケーブルを介して接続され、該通信ケーブルを経由して前記音響再生装置から前記録音装置に送信された音響信号を、前記録音装置にて所定の記録媒体に記録するオーディオシステムにおける記録制御方法であって、
前記音響再生装置は、前記音響信号とは独立の制御信号であって前記通信ケーブルが接続されていることを示す接続信号を、前記録音装置に供給するステップを備え、
前記録音装置は、
前記接続信号の有無を検出する制御信号検出ステップと、
前記接続信号が検出されない場合に、前記音響信号の前記所定の記録媒体への記録を停止するステップと、を備える
ことを特徴とする。
【発明の効果】
【００１５】
本発明のオーディオシステムによれば、録音中にケーブルが抜かれた場合に、自動的に録音を停止することができる。また、不要な記録が含まれないファイルを作成することができる。
【発明を実施するための最良の形態】
【００１６】
（実施の形態１）
本発明に係るオーディオシステムの実施の形態１について、図１ないし図３により説明する。図１は、本発明の実施の形態１に係るオーディオシステム１を示すブロック図である。
【００１７】
実施の形態１に係るオーディオシステム１は、図１に示すように、音響再生装置２と録音装置３が、通信ケーブル４を介して接続される。
【００１８】
音響再生装置２は、外部入力部２１と、再生制御部２２と、制御信号送信部２３と、音響信号再生部２４を含んで構成される。外部入力部２１は、キースイッチまたはタッチパネルなどを備え、利用者がキースイッチなどを操作することによって、再生する楽曲の選択、選択された楽曲の音響信号の再生、音響信号の再生に同期した録音などの指令を再生制御部２２に伝える。
【００１９】
再生制御部２２は、外部入力部２１から入力された指令に従って、音響信号の再生および停止などを音響信号再生部２４に指令する。再生制御部２２は、音響信号再生部２４から楽曲の区切り（トラックマーク）や終了などの情報を受ける。そして再生制御部２２は、音響信号に同期して録音を制御するための録音制御信号を録音装置３に供給するよう、制御信号送信部２３に指令する。
【００２０】
制御信号送信部２３は、後述する録音制御信号を例えば直流電圧レベルに変換して、録音装置３に送信する。
【００２１】
音響信号再生部２４は、音響データを記録した媒体、例えばコンパクトディスク（ＣＤ）、ＤＶＤ（Digital Versatile Disc）、ミニディスク（ＭＤ）または磁気ディスク（ＨＤＤ）などと、その再生装置を含んで構成される。音響信号再生部２４は、再生制御部２２の指令に従って、それらの媒体に記録された音響データを再生して、音響信号を録音装置３に送信する。録音装置３に送信される音響信号は、アナログのオーディオ信号であっても、ディジタル信号であってもよい。また、再生する音響データの区切り（トラックマーク）や終了の情報を再生制御部２２に指示する。
【００２２】
再生制御部２２は、例えばＣＰＵ（Central Processing Unit）、メモリおよび入出力部を備えたマイクロコンピュータで構成することができる。また、再生制御部２２、制御信号送信部２３および音響信号再生部２４を併せてＤＳＰ（Digital Signal Processor）で構成することができる。
【００２３】
録音装置３は、制御信号受信部３１、録音制御部３２、符号化部３３、音響信号保存部３４および入力部３６を含んで構成される。
【００２４】
制御信号受信部３１は、制御信号送信部２３から送信される録音制御信号を受信し、録音制御部３２に伝達する。
【００２５】
録音制御部３２は、制御信号受信部３１から伝達される録音制御信号に従って、録音の開始、録音の停止、トラックマークの記録またはファイルの作成、およびフォルダの作成などを、符号化部３３および音響信号保存部３４に指令して実行する。
【００２６】
符号化部３３は、音響再生装置２から送信される音響信号を受信する。また、受信した音響信号を音響信号保存部３４に記録する形式に符号化する。音響信号がアナログのオーディオ信号で送信される場合は、符号化部３３は音響信号をＡ／Ｄ変換し、さらに符号化する。音響信号がディジタル信号で送信される場合、サンプリング周波数とビット数が録音装置３の録音データ形式に合っていればそのまま符号化して、音響信号保存部３４に記録する。サンプリング周波数またはビット数が録音装置３の録音データ形式に合っていない場合は、音響信号を記録形式のサンプリング周波数およびビット数に変換して、符号化する。そして、符号化部３３は、録音制御部３２の指令に従って、符号化したデータの音響信号保存部３４への記録、トラックマークの記録またはファイルの作成などを行う。
【００２７】
音響信号保存部３４は、ＨＤＤ、ＭＤまたはＤＶＤなどの記録媒体と、それらの記録媒体にデータを書き込む駆動装置を含んで構成される。音響信号保存部３４は、符号化部３３で符号化された音響信号を、ファイルまたはトラックのデータとして、記録媒体の記録形式に従って記録する。
【００２８】
入力部３６は、キースイッチまたはタッチパネルなどを備え、利用者がキースイッチなどを操作することによって、録音の開始および停止、再生する楽曲の選択、選択された楽曲の音響信号の再生などの指令を録音制御部３２に伝える。
【００２９】
録音制御部３２は、例えばＣＰＵ（Central Processing Unit）、メモリおよび入出力部を備えたマイクロコンピュータで構成することができる。また、録音制御部３２、制御信号受信部３１および符号化部３３を併せてＤＳＰ（Digital Signal Processor）で構成することができる。
【００３０】
通信ケーブル４は、音響信号線５Ｌ、５Ｒと、制御信号線６と、ＧＮＤ７を含んで１本のケーブルとして構成される。音響信号線５Ｌ、５Ｒはそれぞれ左チャネルの音響信号および右チャネルの音響信号を伝達する。制御信号線６は、制御信号送信部２３に接続し、例えば直流レベルに変換された録音制御信号を伝達する。ＧＮＤ７は、音響再生装置２から録音装置３に送信される信号（音響信号および録音制御信号）の電位の基準を定める。通信ケーブル４は、音響再生装置２および録音装置３にそれぞれ、ピンプラグまたはピンジャックとソケット、あるいはコネクタなどで着脱自在に接続される。
【００３１】
図２は、実施の形態１に係るオーディオシステム１の録音制御信号の例を示す図である。図２の例では、録音制御信号である接続信号Ｃは、制御信号線６のＧＮＤ７に対する電位で表される。図２において、通信ケーブル接続中であることが接続信号Ｃで表される。電圧０Ｖは、接続信号Ｃがないことを表す。通信ケーブル４が音響再生装置２または録音装置３からはずれた（抜けた）場合（図２の点Ｂで表される）は、録音装置３で観測される制御信号線６の電位は０（開放）になるので、接続信号Ｃと区別できる。接続信号Ｃが検出されない場合に、録音を停止するように制御すれば、通信ケーブル４がはずれた場合に録音を停止し、無音または不要なノイズが録音されることを防止できる。
【００３２】
図２の例では、接続信号Ｃを正の電圧レベルにしているが、接続信号Ｃを表す電圧レベルは図２に示す関係に限定されない。例えば、接続信号Ｃを負電圧としてもよい。接続信号Ｃは、通信ケーブル４が抜けた状態と区別できれば、制御信号線６の電位レベルでなくてもよい。例えば、ある周波数または複数の周波数の組み合わせのトーン信号を用いて、接続信号Ｃをトーン信号とすることができる。あるいは、音響再生装置２側で制御信号線６とＧＮＤ７を抵抗を介して接続し、制御信号線６とＧＮＤ７のループ回路が形成されることを接続信号Ｃとしてもよい。ループ回路が形成されることは、録音装置３側で電流が流れることで検出することができる。
【００３３】
次に、実施の形態１に係るオーディオシステム１の動作について説明する。図３は、実施の形態１に係るオーディオシステム１の動作の一例を示すフローチャートである。本実施の形態では、本発明に関わる音響再生装置２の動作は接続信号Ｃを送信するだけなので、図３では録音装置３の動作のみ記載している。
【００３４】
音響再生装置２では、再生制御部２２は、あらかじめ接続信号Ｃを送信するよう制御信号送信部２３に指令する。制御信号送信部２３は、接続信号送信指令を受けて、接続信号Ｃを制御信号線６を経由して録音装置３に送信する。図２の例では、電圧レベルの信号である接続信号Ｃを送信する。
【００３５】
音響再生装置２では、利用者によって再生する複数の曲が選択されているものとする。音響再生装置２は、選択された複数の曲を再生する指令が外部入力部２１から入力される。そして、再生制御部２２は、音響信号再生部２４に選択された曲の再生を指令する。音響信号再生部２４は、指令された曲の音響信号を再生して、音響信号線５Ｌ、５Ｒを経由して録音装置３に送信する。
【００３６】
録音装置３では、録音指令が入力部３６から入力されるのを待機している（ステップＡ１、ステップＡ２；Ｎｏ）。録音指令が入力部３６から入力されて録音制御部３２に伝達されると（ステップＡ１、ステップＡ２；Ｙｅｓ）、録音制御部３２は、制御信号受信部３１に指令して接続信号Ｃが受信されているかどうかを調べる（ステップＡ３）。接続信号Ｃが受信されていない場合は（ステップＡ３；Ｎｏ）、録音を開始することなく終了する。
【００３７】
接続信号Ｃが受信されている場合は（ステップＡ３；Ｙｅｓ）、録音制御部３２は、音響信号保存部３４に新たなファイルを作成し、符号化部３３に録音開始を指令する（ステップＡ４）。符号化部３３では、音響信号線５Ｌ、５Ｒから受信する音響信号を符号化して、音響信号保存部３４に新たに作成されたファイルに記録する。
【００３８】
録音装置３では、録音（受信した音響信号を符号化して音響信号保存部３４に記録すること）しながら、録音停止が入力部３６から入力されることと、接続信号Ｃを監視している（ステップＡ５）。録音停止が入力部３６から入力されず（ステップＡ６；Ｎｏ）、接続信号Ｃが制御信号受信部３１で検出されている間（ステップＡ７；Ｙｅｓ）、録音を継続する（ステップＡ５）。
【００３９】
入力部３６から録音停止指令が入力された場合（ステップＡ６；Ｙｅｓ）、録音制御部３２は録音停止処理を行う（ステップＡ８）。録音制御部３２は、符号化部３３に録音の停止を指令し、記録していたファイルを閉じる。符号化部３３は、音響信号の符号化と音響信号保存部３４への記録を停止する。
【００４０】
録音停止指令が入力されていないが（ステップＡ６；Ｎｏ）、接続信号Ｃが制御信号受信部３１で検出されない場合（ステップＡ７；Ｎｏ）、録音制御部３２は、符号化部３３に録音の停止を指令するとともに、所定の時間分の記録をさかのぼって消去する（ステップＡ９）。接続信号Ｃが停止してから、それを検出するまでの時間に不要な音響信号が記録されているので、その不要な音響信号を消去する。そして、記録していたファイルを閉じる。
【００４１】
録音装置３が録音している間に（ステップＡ５）、通信ケーブル４が音響再生装置２または録音装置３から抜けた場合は、接続信号Ｃが停止するので、前述のステップＡ７からステップＡ９の動作となって、録音停止処理と不要な音響信号の遡及消去が行われる。
【００４２】
上述のとおり、本実施の形態１のオーディオシステム１によれば、音響再生装置２から接続信号Ｃが録音装置３に送信されるので、録音中にケーブルが抜かれた場合でも、自動的に録音を停止することができる。その場合、接続信号Ｃが停止したことを検出する時間分の不要な記録をさかのぼって消去する。その結果、録音した楽曲を再生したときに、不要な音を聴くことがない。また、録音の最後の部分を再生してみれば、どの曲まで正常に録音されたか、またどの曲から録音をやり直せばよいかが簡単にわかる。
【００４３】
（実施の形態２）
次に、録音制御信号に再生中信号、トラックマーク信号および録音停止信号を加えた場合の実施の形態２について、図４ないし図６を参照して説明する。
【００４４】
図４は、実施の形態２に係るオーディオシステム１の構成の例を示すブロック図である。図４に示すオーディオシステム１は、図１の構成に比較して、通信ケーブル４に制御信号線６がない。その代わり、音響再生装置２には信号重畳部２５が設けられ、録音装置３には信号分離部３５が設けられている。
【００４５】
制御信号送信部２３から送信される信号は、信号重畳部２５で音響信号の１つに重畳される。図４の例では、右チャネルの音響信号線５Ｒに録音制御信号が重畳されて送信される。録音装置３では、録音制御信号は信号分離部３５で音響信号から分離されて制御信号受信部３１に入力される。
【００４６】
音響信号がアナログのオーディオ信号の場合、可聴帯域の下限は十数Ｈｚであって、それ以下の周波数成分はないから、直流成分の録音制御信号を重畳しても音響信号に影響はない。また、信号分離部３５では、直流成分を分離して録音制御信号として取り出すことができる。
【００４７】
音響信号がディジタル信号で送信される場合でも、例えばＡＭＩ（Alternative Mark Inversion）符号のように直流成分のない符号を用いて、直流成分の録音制御信号を重畳することができる。
【００４８】
図５は、本発明の実施の形態２に係るオーディオシステム１の録音制御信号の例を示す図である。図５の例では、録音制御信号は、制御信号線６のＧＮＤ７に対する電位で表される。図５において、音響再生装置２で曲を再生中であることが再生中信号Ｒで表される。また、トラックマークを記録すべきタイミングが、所定の時間幅を有するトラックマーク信号Ｔで表される。そして、最後の録音終了時に録音停止信号Ｓが加えられている。録音停止信号Ｓは、再生中信号Ｒおよびトラックマーク信号Ｔと区別されるように、電圧レベルがそれらの信号と異なる。録音停止信号Ｓは、信号のない状態および接続信号Ｃと区別できる必要がある。図５の例では、録音停止信号Ｓは再生中信号Ｒとトラックマーク信号Ｔの中間の電圧である。
【００４９】
接続信号Ｃの電圧レベルのときは、再生中でもトラックマークでもなく、また録音停止でもない状態を表す。また、電圧０Ｖは、信号がないことを表す。通信ケーブル４が音響再生装置２または録音装置３からはずれた（抜けた）場合は、録音装置３で観測される制御信号線６の電位は０（開放）になるので、接続信号Ｃ、再生中信号Ｒ、トラックマーク信号Ｔおよび録音停止信号Ｓと区別できる。接続信号Ｃ、再生中信号Ｒ、トラックマーク信号Ｔおよび録音停止信号Ｓのいずれも検出されない場合に、録音を停止するように制御すれば、通信ケーブル４がはずれた場合に録音を停止し、無音または不要なノイズが録音されることを防止できる。
【００５０】
図５の例では、再生中信号Ｒを高い電圧レベルに、トラックマーク信号Ｔを低い電圧レベルに、そして録音停止信号Ｓを中間の電圧レベルにしているが、それぞれの信号を表す電圧レベルは図５に示す関係に限定されない。例えば、高、中、低の電圧レベルの順が図５とは変わっていてもよい。また、いずれかの録音制御信号が負の電圧であってもよい。例えば、再生中信号Ｒを低い電圧レベルとし、トラックマーク信号Ｔを高い電圧レベルとしてもよい。または、一方を正電圧とし、他方を負電圧としてもよい。さらには、トラックマーク信号Ｔを所定の時間幅、例えば１０ｍ秒〜５０ｍ秒幅、の接続信号Ｃの電圧レベルまたは０Ｖと定義して、接続信号Ｃの電圧レベルまたは０Ｖの継続時間によって、トラックマーク信号Ｔと接続信号Ｃまたは無信号を識別することができる。
【００５１】
録音制御信号は、通信ケーブル４が抜けた状態と区別できれば、制御信号線６の電位レベルでなくてもよい。例えば、音響再生装置２側で制御信号線６とＧＮＤ７を抵抗を介して接続し、制御信号線６とＧＮＤ７のループ回路が形成されることを接続信号Ｃとしてもよい。ループ回路が形成されることは、録音装置３側で電流が流れることで検出することができる。その場合、例えばトラックマーク信号Ｔはトーン信号、またはループ回路を所定の時間幅で開放するパルスとすることができる。
【００５２】
図５では、再生中信号Ｒに音響信号Ａが重畳されている様子を模式的に表している。トラックマーク信号Ｔ、録音停止信号Ｓおよび接続信号Ｃのみの場合には、音響信号Ａがないので、実質的に再生中信号Ｒにしか音響信号Ａは重畳されないが、音響信号Ａがトラックマーク信号Ｔなどに重畳されても分離することは可能であり、音響信号Ａと録音制御信号は独立である。
【００５３】
実施の形態２では、音響信号に重畳して録音制御信号を送信するので、通信ケーブル４の心線が少なくてすむ。例えば、現在市販されている通常のステレオ用ケーブルの構成を用いることができる。
【００５４】
また、図４のオーディオシステム１の構成では、録音制御信号を右チャネルの音響信号線５Ｒに重畳しているが、録音制御信号を左チャネルの音響信号線５Ｌに重畳してもよい。また、録音制御信号を分けて、左チャネルと右チャネルの音響信号線５Ｌ、５Ｒにそれぞれ重畳してもよい。１つの音響信号線に録音制御信号を重畳する場合は、信号重畳部２５および信号分離部３５はそれぞれ１つの回路ですむ。２つの音響信号線５Ｌ、５Ｒに録音制御信号を分けて重畳する場合は、信号重畳部２５および信号分離部３５はそれぞれ２回路となるが、重畳または分離する電圧レベルの数が少なくてすむ。
【００５５】
次に、実施の形態２に係るオーディオシステム１の動作について説明する。図６は、実施の形態２に係るオーディオシステム１の動作の一例を示すフローチャートである。図６の左側、再生制御は音響再生装置２の動作を示す。図６の右側、録音制御は録音装置３の動作を示す。
【００５６】
本実施の形態では、音響再生装置２で選択した曲を再生したのちに、録音装置３で記録したフォルダに継続して録音するか、フォルダを一旦閉じるかを利用者が選択できるように構成されている。フォルダを継続するのは、例えば再生するＣＤを交換して、さらに曲を選択して再生し、録音装置３でまとめて１つのフォルダにしたい場合である。選択した曲を再生したのちに、フォルダを継続するか否かは外部入力部２１から入力されて、再生制御部２２に通知されてそこで記憶される。
【００５７】
音響再生装置２では、利用者によって再生する複数の曲が選択されているものとする。音響再生装置２は、選択された複数の曲の再生に同期して録音装置３で録音する指令（同期録音指令）が外部入力部２１から入力されるのを待機する（ステップＢ１、ステップＢ２；Ｎｏ）。同期録音指令が入力されると（ステップＢ１、ステップＢ２；Ｙｅｓ）、再生制御部２２は、再生中信号Ｒを送信するよう制御信号送信部２３に指令する（ステップＢ３）。制御信号送信部２３は、再生中信号送信指令を受けて、再生中信号Ｒを制御信号線６を経由して録音装置３に送信する。図５に示す録音制御信号の例では、高い電圧レベルの信号である再生中信号Ｒを送信する。そして、再生制御部２２は、音響信号再生部２４に選択された曲の再生を指令する（ステップＢ４）。音響信号再生部２４は、指令された曲の音響信号を再生して、音響信号線５Ｌ、５Ｒを経由して録音装置３に送信する。
【００５８】
一方、録音装置３では、入力部３６から録音待機の指令が入力されて録音制御部３２に通知され、制御信号線６から再生中信号Ｒが送信されるのを待機している（ステップＣ１、ステップＣ２；Ｎｏ）。再生中信号Ｒが制御信号受信部３１で受信されて録音制御部３２に伝達されると（ステップＣ１、ステップＣ２；Ｙｅｓ）、録音制御部３２は、音響信号保存部３４に新たなファイルを作成し、符号化部３３に録音開始を指令する（ステップＣ３）。符号化部３３では、音響信号線５Ｌ、５Ｒから受信する音響信号を符号化して、音響信号保存部３４に新たに作成されたファイルに記録する。音響再生装置２から再生中信号Ｒが送信されることによって、録音装置３で録音が開始されることが、図６のステップＢ３からステップＣ２の手前への波線矢印で示されている。
【００５９】
再生制御部２２は、音響信号再生中に音響データを監視する（ステップＢ５）。すなわち、再生している曲が終了するのを待つ。再生している曲が継続している間（ステップＢ６；Ｎｏ、ステップＢ８；Ｎｏ）、再生中信号Ｒは継続して送信されている。
【００６０】
再生している曲の再生が終了することが音響信号再生部２４から通知されると、選択された次の曲があるかどうかによってトラックマーク信号Tを送信するかどうかを判定し（ステップＢ６）、次の曲が有る場合すなわちトラックマーク信号を送信すべき場合（ステップＢ６；Ｙｅｓ）、再生制御部２２はトラックマーク信号Ｔの送信を制御信号送信部２３に指令する（ステップＢ７）。制御信号送信部２３は、トラックマーク信号Ｔを制御信号線６を経由して録音装置３に送信する。図５に示す録音制御信号の例では、低い電圧レベルで所定の時間幅であるトラックマーク信号Ｔを送信する。そして、再生制御部２２は、音響信号再生部２４に次の曲の再生を指令する（ステップＢ４）。
【００６１】
録音装置３では、録音（受信した音響信号を符号化して音響信号保存部３４に記録すること）しながら、制御信号を監視している（ステップＣ４）。再生中信号Ｒが継続している間（ステップＣ５；Ｎｏ、ステップＣ７；Ｎｏ、ステップＣ９；Ｙｅｓ）、録音を継続する。
【００６２】
トラックマーク信号Ｔを受信した場合（ステップＣ５；Ｙｅｓ）、録音制御部３２はトラック切換を行う（ステップＣ６）。すなわち、記録媒体がＭＤなどの場合は、トラックマークを記録し、記録媒体がＨＤＤなどの場合は、録音していたファイルを閉じて、新しいファイルを作成する。ついで、符号化部３３に次の録音開始を指令する（ステップＣ４）。符号化部３３は音響信号線５Ｌ、５Ｒから受信する音響信号を符号化して、音響信号保存部３４に新たに作成されたファイルに記録する。音響再生装置２からトラックマーク信号Ｔが送信されることによって、録音装置３でトラック切換が行われることが、図６のステップＢ７からステップＣ５の手前への波線矢印で示されている。
【００６３】
音響再生装置２では、再生している曲の再生が終了することが音響信号再生部２４から通知され、選択された次の曲がない場合（ステップＢ６；Ｎｏ、ステップＢ８；Ｙｅｓ）、再生制御部２２は、音響信号再生部２４に音響信号の送信の停止を指令する（ステップＢ９）。ついで、録音するフォルダを継続するかどうかを判断する（ステップＢ１０）。フォルダを継続しない場合は（ステップＢ１０；Ｎｏ）、再生制御部２２は制御信号送信部２３に録音停止信号Ｓの送信を指令する（ステップＢ１１）。フォルダを継続する場合（ステップＢ１０；Ｙｅｓ）も継続しない場合も、制御信号送信部２３に再生中信号Ｒの停止を指令する（ステップＢ１２）。
【００６４】
録音装置３では、録音停止信号Ｓを検出したことが制御信号受信部３１から録音制御部３２に通知されると（ステップＣ７；Ｙｅｓ）、録音制御部３２は録音停止処理を行う（ステップＣ８）。録音制御部３２は、符号化部３３に録音の停止を指令し、記録していたファイルを閉じる。符号化部３３は、音響信号の符号化と音響信号保存部３４への記録を停止する。そして、作成した一連のファイルをまとめて１つのフォルダとする。音響再生装置２から録音停止信号Ｓが送信されることによって、録音装置３で録音停止処理が行われることが、図６のステップＢ１１からステップＣ７の手前への波線矢印で示されている。録音停止信号Ｓを検出したとき、録音装置３では、フォルダへの記録を終了してフォルダを閉じてもよい。
【００６５】
録音装置３では、録音停止信号Ｓを検出せずに再生中信号Ｒが停止した場合（ステップＣ９；Ｎｏ）、接続信号Ｃがあるか否かを調べる（ステップＣ１０）。接続信号Ｃがある場合は（ステップＣ１０；Ｙｅｓ）、録音制御部３２は録音停止処理を行う（ステップＣ１１）。録音制御部３２は、符号化部３３に録音の停止を指令し、記録していたファイルを閉じる。符号化部３３は、音響信号の符号化と音響信号保存部３４への記録を停止する。この場合は、前記ステップＢ１０で説明したようにフォルダを継続する場合なので、次の曲のファイルが同じフォルダになるようにして、新たなフォルダを作成しない。
【００６６】
再生中信号Ｒが停止し、接続信号Ｃが検出されない場合は（ステップＣ１０；Ｎｏ）、通信ケーブル４が音響再生装置２または録音装置３から抜けたと判断される。その場合、録音制御部３２は、符号化部３３に録音の停止を指令するとともに、所定の時間分の記録をさかのぼって消去する（ステップＣ１２）。再生中信号Ｒが停止してから、それを検出するまで時間に不要な音響信号が記録されているので、その不要な音響信号を消去する。そして、記録していたファイルを閉じる。
【００６７】
ステップＣ１２では、作成した一連のファイルをまとめて１つのフォルダとしてもよいし、最後に記録したファイルを削除して、その曲から録音をやり直してもよい。また、それらの処理を利用者に選択させてもよい。
【００６８】
本実施の形態２では、一連の曲の再生の最後に録音停止信号Ｓを、音響再生装置２から録音装置３に送信する。再生中信号Ｒが停止して接続信号Ｃも検出されない場合に、通信ケーブル４が抜けたと判断できる。その場合、再生中信号Ｒおよび接続信号Ｃが停止したことを検出する時間分の不要な記録をさかのぼって消去する。その結果、録音した楽曲を再生したときに、不要な音を聴くことがない。また、再生中信号Ｒが停止したときに再生していた曲のみを消去して、その曲から録音をやり直すこともできる。それまでに記録されているトラックマークを調べることによって、どの曲まで正常に録音されたか、またどの曲から録音をやり直せばよいかが簡単にわかる。
【００６９】
本実施の形態２では、通信ケーブル４が接続されているかどうかを接続信号Ｃの有無によって判断できる。そこで、録音停止信号Ｓをフォルダ作成の指令として、録音停止信号Ｓがなく再生中信号Ｒが停止した（接続信号Ｃになった）場合にフォルダを継続するとみなすことができる。その結果、音響再生装置２でつづけて再生して同期録音する曲を選択することができる。
【００７０】
さらに、接続信号Ｃを録音待機信号として利用することができる。すなわち、接続信号Ｃがある場合は、録音待機とし、接続信号Ｃがない場合は完全に停止状態とするなどである。録音待機では例えば記録媒体を回転させておいて、速やかに録音開始できる。完全停止状態では例えば記録媒体の回転を停止して、消費電力を抑えることができる。
【００７１】
実施の形態２では、音響信号に重畳して録音制御信号を送信するので、通信ケーブル４の心線が少なくてすむ。例えば、現在市販されている通常のステレオ用ケーブルの構成を用いることができる。
【００７２】
また、図４のオーディオシステム１の構成では、録音制御信号を右チャネルの音響信号線５Ｒに重畳しているが、録音制御信号を左チャネルの音響信号線５Ｌに重畳してもよい。また、録音制御信号を分けて、左チャネルと右チャネルの音響信号線５Ｌ、５Ｒにそれぞれ重畳してもよい。１つの音響信号線に録音制御信号を重畳する場合は、信号重畳部２５および信号分離部３５はそれぞれ１つの回路ですむ。２つの音響信号線５Ｌ、５Ｒに録音制御信号を分けて重畳する場合は、信号重畳部２５および信号分離部３５はそれぞれ２回路となるが、重畳または分離する電圧レベルの数が少なくてすむ。
【００７３】
その他、前記のハードウエア構成やフローチャートは一例であり、任意に変更及び修正が可能である。
【００７４】
オーディオシステム１は、専用のシステムによらず、通常のコンピュータシステムを用いて実現可能である。例えば、前記の動作を実行するためのコンピュータプログラムを、コンピュータが読みとり可能な記録媒体（フレキシブルディスク、CD-ROM、DVD-ROM等）に格納して配布し、当該コンピュータプログラムをコンピュータにインストールすることにより、前記の処理を実行するオーディオシステム１を構成してもよい。また、インターネット等の通信ネットワーク上のサーバ装置が有する記憶装置に当該コンピュータプログラムを格納しておき、通常のコンピュータシステムがダウンロード等することで本発明のオーディオシステム１を構成してもよい。
【００７５】
また、前記の各機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００７６】
また、搬送波に上述のコンピュータプログラムを重畳し、通信ネットワークを介して配信することも可能である。
【図面の簡単な説明】
【００７７】
【図１】本発明の実施の形態１に係るオーディオシステムの構成の例を示すブロック図である。
【図２】本発明の実施の形態１に係るオーディオシステムの録音制御信号の例を示す図である。
【図３】本発明の実施の形態１に係るオーディオシステム動作の一例を示すフローチャートである。
【図４】本発明の実施の形態２に係るオーディオシステムの構成の例を示すブロック図である。
【図５】本発明の実施の形態２に係るオーディオシステムの録音制御信号の例を示す図である。
【図６】本発明の実施の形態２に係るオーディオシステムの動作の一例を示すフローチャートである。
【符号の説明】
【００７８】
１  オーディオシステム
２  音響再生装置
３  録音装置
４  通信ケーブル
５Ｌ、５Ｒ  音響信号線
６  制御信号線
７  ＧＮＤ
２１  外部入力部
２２  再生制御部
２３  制御信号送信部
２４  音響信号再生部
２５  信号重畳部
３１  制御信号受信部
３２  録音制御部
３３  符号化部
３４  音響信号保存部
３５  信号分離部
３６  入力部
Ｃ  接続信号
Ｒ  再生中信号
Ｓ  録音停止信号
Ｔ  トラックマーク信号
【図１】
2007124315.tif 000003
【図２】
2007124315.tif 000004
【図３】
2007124315.tif 000005
【図４】
2007124315.tif 000006
【図５】
2007124315.tif 000007
【図６】
2007124315.tif 000008